(57)【特許請求の範囲】
【請求項１】
水平方向に伸張する面体と、
潮位差の水圧に基づいて水平方向に張力を受ける前記面体の両側部位を水平方向に引張して支持する両側の支持体と、
前記支持体に配置された昇降機構と、
を具備し、
前記面体は、
前記水圧の方向に膨らんでアーチ面を形成するアーチ形成面体と、
前記アーチ形成面体に横方向に接合する複数の横方向軸索線とを有し、
前記昇降機構は、前記複数の横方向軸索線のそれぞれの端部を鉛直方向に昇降させることを特徴とする
防潮ダム。
【請求項２】
前記面体は鉛直方向移動式に開閉することを特徴とする
請求項１に記載の防潮ダム。
【請求項３】
前記面体は、前記アーチ形成面体に縦方向に接合する複数の縦方向軸索線を更に備えることを特徴とする
請求項１〜２のいずれか１項に記載の防潮ダム。
【請求項４】
前記横方向軸索線と前記縦方向軸索線とは、前記面体の局所領域面でトラス構造を形成することを特徴とする
請求項３に記載の防潮ダム。
【請求項５】
前記縦方向軸索線は、前記アーチ面が形成される際に、前記面体と前記横方向軸索線との間で斜め方向に向いていることを特徴とする
請求項３又は４に記載の防潮ダム。
【請求項６】
前記アーチ形成面体は、前記複数の横方向軸索線により上下方向に分割されていることを特徴とする
請求項１〜５のいずれか１項に記載の防潮ダム。
【請求項７】
浮体を更に具え、
前記浮体は前記面体の上方部位に接合し、前記面体の上端縁は前記浮体より上方に位置することを特徴とする
請求項１〜６のいずれか１項に記載の防潮ダム。
【請求項８】
請求項１〜７のいずれか１項に記載の防潮ダムと、
複数の気象観測所から送信されてくる気象データを受信するシミュレーションセンタと、
を具え、
前記シミュレーションセンタは、
前記気象データに基づいて時間的予測潮位を時間的に予測する気象シミュレーションコンピュータと、
前記時間的予測潮位に基づいて前記防潮ダムの開閉を制御する制御電気信号を出力する開閉制御コンピュータと、
前記防潮ダムの開閉を駆動する駆動機構とを具え、
前記駆動機構は、前記制御電気信号に基づいて前記防潮ダムを開閉することを特徴とする
防潮ダムの開閉システム。
【請求項９】
前記気象データは通信衛星から前記シミュレーションセンタに送信されるデータを含むことを特徴とする
請求項８に記載の防潮ダムの開閉システム。
【請求項１０】
前記時間的予測潮位は、時刻列ｔｊの関数列Ｈ（ｔｊ）として表され、前記制御電気信号は前記関数列Ｈ（ｔｊ）に基づいて生成されることを特徴とする
請求項８又は９に記載の防潮ダムの開閉システム。
【発明の詳細な説明】
【０００１】
【発明の属する技術分野】
本発明は、防潮ダム、及び、防潮ダムの開閉システムに関し、特に、開閉式である防潮ダム、及び、防潮ダムの開閉システムに関する。
【０００２】
【背景の技術】
台風接近時の高潮のような海面上昇から沿岸領域を保護するために、防潮堤が設けられている。台風のようなスケールが大きい自然現象に対抗するために、防潮堤はその大型化が必要である。川側水面が海面より高い非常態時、船舶の通過を許容する常態時に常態的に開いておく必要がある防潮堤は、可動式に設計されている。強靱性が要求されるために鉄筋コンクリートのような材料で嵩高く大質量体として設計される従来の防潮堤（の水門）を可動化する場合、巨額な費用と周囲の敷設領域の確保が必要であり、巨額な公共投資が要求される。
【０００３】
図９は、港湾の近未来像を描いている。埋め立て地又はフロートで商工業立地を確保し、更に港を形成して、その周辺設備領域の全体を高潮から保護するために、防潮堤は海面の上下変動に対応することが求められる。特に、入出港口に設けられる防潮堤は、開閉自在であることが求められる。海面の上下変動幅は、地球温暖化により近未来に急激に増大することが予測されている。
【０００４】
投資額の巨額化を抑制することができる技術の確立が求められる。可動化のためにその投資額が巨大化することを抑制することが望まれる。海面の高さ変化に機敏に対応することができることが重要である。その機敏な対応は、予測的に実行されることが望まれる。このような近未来型の防潮堤を構築する技術又はその技術要素の確立が求められる。
【０００５】
【発明が解決しようとする課題】
本発明の課題は、近未来型の防潮堤を構築する技術又はその技術要素の確立することができる防潮ダム、防潮ダム用膜、及び、防潮ダムの開閉システムを提供することにある。
本発明の他の課題は、開閉自在化のために投資額が巨額化することを抑制することができる防潮ダム、防潮ダム用膜、及び、防潮ダムの開閉システムを提供することにある。
本発明の更に他の課題は、海面の高さ変化に機敏に対応することができる防潮ダム、防潮ダム用膜、及び、防潮ダムの開閉システムを提供することにある。
本発明の更に他の課題は、その機敏な対応が予測的に実行されることができる防潮ダム、防潮ダム用膜、及び、防潮ダムの開閉システムを提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明による防潮ダム用膜は、両端部位が水平方向に支持され、水圧を受けて中央部位がアーチ面に膨らむ。このような防潮ダム用膜は、防潮ダムの要素技術を確立する。このような防潮ダム用膜を利用する本発明による防潮ダムは、水平方向に伸展する面体（１）と、潮位差の水圧に基づいて水平方向に張力を受ける面体（１）の両側部位を水平方向に引張して支持する両側の支持体（２）とから構成され、海側から陸側又は川側に流入する海水を堰き止めるダムを形成する。面体（１）は、水圧を受けて水平方向に微小に又は大きく伸び、特に、弾性的に展開する。水圧差に対応して自然に変形するから、変形力が均等に１次元的に分散し、軽量化が可能になっていて、特に、近未来型の防潮堤を構築する技術要素を確立することができる。
【０００８】
面体の面は、水圧の方向に膨らんで、結果的にはダムに見られるような力学的に理想的なアーチ面に自然に形成される。面体（１）は、潮位に対応して開閉する。本発明による防潮ダムは、開閉式であることが重要であり、その軽量化に対処してアーチ面が形成される。面体（１）は、鉛直方向移動式に開閉し、又は、水平方向移動式に開閉する。
【０００９】
面体は、アーチ面を形成するアーチ形成面体（１）と、アーチ形成面体（１）に横方向に接合する複数の横方向軸索線（８）とから形成されている。横方向軸索線（８）は、横方向に伸展可能であり、支持体（２）に引張的に支持される。複数の横方向軸索線（８）により上下方向にアーチ形成面体（１）が分割されて形成される面体部分は、それぞれに水圧方向に十分に膨らむ。アーチ形成面体（１）の縦方向伸び幅が大きく設定されているから、大きい潮位差に対応することができる。
【００１０】
複数の横方向軸索線（８）のそれぞれの端部を鉛直方向に昇降させる昇降機構が更に追加される。昇降機構は、支持体（２）に配置されている。この場合、防潮ダムは、鉛直方向に開閉することができる。
【００１１】
面体には、アーチ形成面体（１）に縦方向に接合する複数の縦方向軸索線（７）が更に追加される。この追加は、アーチ形成面体（１）を二次元面で補強することができる。横方向軸索線（８）と縦方向軸索線（７）とは、面体の局所領域面でトラス構造を形成する。トラス構造は、その面体の二次元面内の変形をより自由にし、且つ、その面内の強度を強化することができる。縦方向軸索線（７）は、アーチ面が形成される際に、面体と横方向軸索線（８）との間で斜め方向に向いて形成され得る。縦方向軸索線（７）と横方向軸索線（８）とがともに斜めに引かれれば、トラス構造は、菱形になって横方向変形性と縦方向変形性がともによくなる。
【００１２】
浮体（５）が更に追加される。面体（１）の閉鎖時に、浮体（５）は面体（１）の上方部位に接合し、面体の上端縁は浮体（５）より上方に位置する。浮体（５）は、面体（１）の中央部分をより水平に支持して、鉛直面内でアーチ状に変形することを有効に抑制する。錘（３）が更に追加される。面体（１）の閉鎖時に、錘（３）は面体（１）の下方部位に接合して海底に密着する。浮体（５）に海水を注入し、その海水の給排により、浮体（５）を浮沈式にすれば、面体（１）を上下方向に折り畳み自在に開閉可能にすることができる。
【００１３】
本発明による防潮ダムの開閉システムは、複数の気象観測所から送信されてくる気象データ（１６）を受信するシミュレーションセンタ（１２）と、開閉式の防潮ダム（１０）とから構成されている。シミュレーションセンタ（１２）は、気象データ（１６）に基づいて時間的予測潮位を時間的に予測する気象シミュレーションコンピュータ（１４）と、時間的予測潮位に基づいて防潮ダム（１０）の開閉を制御する制御電気信号（１８）を出力する開閉制御コンピュータ（１５）と、防潮ダム（１０）の開閉を駆動する駆動機構とから構成されている。その駆動機構は制御電気信号（１８）に基づいて防潮ダム（１０）を開閉する。シミュレーションによる予測は、開閉式防潮ダムの開閉機能を有効化する。
【００１４】
通信衛星が利用される。気象データ（１６）は通信衛星（１３）からシミュレーションセンタ（１２）に送信される。近未来の防潮ダムは、地球規模的な気象変動に基づいて高精度に予測される潮位の変動に敏速に対応して開閉する。時間的予測潮位は、時刻列ｔｊの関数列Ｈ（ｔｊ）として表され、制御電気信号（１８）は関数列Ｈ（ｔｊ）に基づいて生成されることが重要である。気象データ（１６）は地上の気象予報業務支援センターのような地上側設備から直接に入手することができ、又は、通信衛星（１３）から地上側支援センターのような地上側設備を介して加工された気象でデータして入手することができる。
【００１５】
【発明の実施の形態】
図に対応して、本発明による防潮ダムの実施の形態は、防潮ダム締切り用２次元膨縮面体が、底部締切り体と面体支持用アンカレッジとともに設けられている。その防潮ダム（海岸境界ダム）１０は、防潮ダム締切り用２次元膨縮面体を持っている。その防潮ダム締切り用２次元膨縮面体１は、図１に示されるように、水平方向に対抗する両側の面体支持用アンカレッジ２に水平軸方向に支持される。その底部締切り体としては、図２に示されるように、締切り用錘３が例示されている。防潮ダム締切り用２次元膨縮面体１は、特に水平方向（港の内外方向に直交する水平方向、以下、横方向ともいわれる）に膨張し縮小してその横方向長さが実質的に変化する。
【００１６】
防潮ダム締切り用２次元膨縮面体１は、図２に示されるように、２次元支持構造体４に支持されている。２次元支持構造体４は、鉛直方向上向き力発生体５と、鉛直方向下向き力発生体６と、鉛直方向上向き力発生体５と鉛直方向下向き力発生体６を鉛直方向に接続する鉛直方向張力軸７と、両側のアンカレッジ２の間を接続する水平方向張力軸８とから形成されている。鉛直方向張力軸７は、横方向に並んで複数本に形成されている。水平方向張力軸８は、防潮ダム締切り用２次元膨縮面体１と鉛直方向張力軸７との間で防潮ダム締切り用２次元膨縮面体１と鉛直方向張力軸７にヒンジ結合的に固着し、鉛直方向張力軸７に港外側で接合し防潮ダム締切り用２次元膨縮面体１に港内側で接合している。
【００１７】
水平方向張力軸８は、鉛直方向に並んで複数本に形成されている。水平方向軸８は、吊り橋の吊りケーブルに用いられ可撓性を持ち軸方向に延びることができ必要程度に高剛性を有する剛性索、可撓性を持ち軸方向に延びることができ必要程度に高剛性を有する炭素繊維ファイバー製のワイヤロープ、コイルスプリング、金属棒、ジグザグに折れ曲がる棒板が好適に例示され、１次元的伸縮軸として構造化されている。
【００１８】
防潮ダム締切り用２次元膨縮面体１としては、屈曲可能溝又は屈曲可能折り曲げ部分が２次元的に交叉して配列された鉄板、オイルフェンスに用いられる炭素繊維強化樹脂フィルムプレート、パラシュート又はテントと同素材で製作される布状のシート、薄いステンレス鋼板、中空状鋼板が好適に例示される。防潮ダム締切り用２次元膨縮面体１は、表面に変動水圧を受けて２次元的に（面内方向に）弾性的に膨張し収縮することができる。防潮ダム締切り用２次元膨縮面体１は、袋状に形成され内部に空気が満たされてそれ自体に浮力が働くことは好ましい。このような物性を持つ防潮ダム締切り用２次元膨縮面体１は、本発明者により膜（テントのの布のイメージ）と名付けられ、図１に示されるように、水圧を受ける膜の形状は水平断面上で懸垂線として現れ横方向に膨張して伸展し、港の内外方向に膨らんでダムのようにアーチ状に形状化される。
【００１９】
鉛直方向張力軸７としては、伸縮自在な縦方向ケーブル、複数点で屈曲可能にヒンジ結合し鉛直方向に伸縮する鉄棒が好適に例示される。鉛直方向張力軸７と水平方向張力軸８とから形成される２次元支持構造体４は、格子状空隙を持つネットを形成する。そのネットを形成し縦横に連続する四辺形格子は、その４点でヒンジ構造的に回転して平行四辺形状に変形しネット全体の任意の局所的領域でトラス構造（接合点が不完全剛体的に回転自在である構造）を形成している。鉛直方向張力軸７は鉛直方向成分を持って延びており水平方向張力軸８は水平方向成分を持って延びていて、網目の形状は四辺形に限られず３角形にも形成される。
【００２０】
水平方向張力軸８は、図１に示されるように、それの両端部が吊り橋のケーブルと同様に面体支持用アンカレッジ２に強固に固着されている。防潮ダム締切り用２次元膨縮面体１の両端部は、面体支持用アンカレッジ２に水密的に固着されている。鉛直方向下向き力発生体６である締切り用錘３は、海底面にその重力で密着している。締切り用錘３の重力から鉛直方向上向き力発生体５の浮力を引いた鉛直下向き力が、港内側海面と港外側海面との水位差に対して十分であれば、その水密性は保証される。
【００２１】
平穏な常態時には、図１に１点鎖線９で示されるように、防潮ダム締切り用２次元膨縮面体１は２次元支持構造体４とともに一方の面体支持用アンカレッジ２の回転軸を中心に概ね１８０度回転させられて収容位置に収容され、船舶は港の内外に航行することができる。鉛直方向張力軸７が鉛直方向に折り畳まれ得る構造であり、防潮ダム締切り用２次元膨縮面体１が布状シートで形成されている場合には、鉛直方向上向き力発生体５に海水を導入して、鉛直方向上向き力発生体５を締切り用錘３の位置まで沈降させる。
【００２２】
図１に示される異常時には、防潮ダム締切り用２次元膨縮面体１は、内外の潮位差による水圧を受けて懸垂線で特徴づけられるダム・アーチの形状面に膨らみ、更に、鉛直方向上向き力発生体５の浮力と締切り用錘３の重力を受けて縦方向にも張力が発生して、面内方向に２次元的に伸張する。防潮ダム締切り用２次元膨縮面体１は、両軸方向に大きな張力に耐える２次元支持構造体４に支持され補強されていて、防潮ダムとしての機能を十分に発揮することができる。
【００２３】
図２に示されるように、内外海面落差が最大である高潮時に適合するように、鉛直方向張力軸７の最大鉛直方向長さが設計されている。港外側の水位が下がる場合、鉛直方向上向き力発生体５は降下し鉛直断面上でも懸垂線状に膨らむことができる。防潮ダム締切り用２次元膨縮面体１の上端部は鉛直方向上向き力発生体５より適正に高い一定高さ位置に存在している。
【００２４】
図３は、本発明による防潮ダムの実施の他の形態を示している。実施の本形態では、実施の既述の形態の鉛直方向張力軸７が省略されている。複数の水平方向張力軸８はそれぞれに独立して水平方向に平行に延びていて、上下に隣り合う任意の２本の水平方向張力軸８の間の間隔は概ね一定に保持されるが、鉛直方向上向き力発生体５の上下運動に追随することができる。複数の水平方向張力軸８の両端を固着する固着具が面体支持用アンカレッジ２で昇降可能に支持されていれば、複数の水平方向張力軸８の鉛直方向間隔は、自由に変化することができる。実施の本形態の防潮ダム締切り用２次元膨縮面体１は、下半部分が港内側方向に膨らむことになる。
【００２５】
図４は、本発明による防潮ダムの実施の更に他の形態を示している。実施の本形態の防潮ダム締切り用２次元膨縮面体１は、港の内外方向に局所的に屈曲する屈曲要素の集合であり、ジグザグに曲折している。複数の水平方向張力軸８が平行に縦方向に配列されて両端部が両側の面体支持用アンカレッジ２に固着されている点は、実施の既述の複数の形態に同じである。実施の本形態では、水平方向張力軸８の格子点に一端部が固着されている強靱な紐群１１の紐要素のそれぞれの他端が防潮ダム締切り用２次元膨縮面体１の港外側面に凧のように固着されている。
【００２６】
このような防潮ダム締切り用２次元膨縮面体１は、海面の上下動に追随して鉛直方向に自在に伸縮することができる。防潮ダム締切り用２次元膨縮面体１は、中空化された蛇腹式伸縮体として形成され得る。紐群１１は、水平方向（港の内外方向）に小刻みにジグザグに屈曲し格子点の回転性がより高い鉛直方向張力軸７の一例として例示されている。
【００２７】
図５は、構造物性の点で概念化した防潮ダム締切り用２次元膨縮面体１の基本形態を示している。防潮ダム締切り用２次元膨縮面体１は、シート１−１と縦方向剛性軸線１−２と横方向剛性軸線１−３とから構成されている。シート１−１は、横方向に弾性的に伸張性が豊かであり縦方向にもある程度に弾性的に伸張性があって、２次元的伸張性（２次元的膨張性）がある。縦方向剛性軸線１−２は、縦方向に十分に剛性があるが、多少の伸張性があり、且つ、２次元的に豊かな可撓性がある。横方向剛性軸線１−３は、縦方向に十分に剛性があり、横方向に十分に伸張性があり、且つ、２次元的に豊かな可撓性がある。防潮ダム締切り用２次元膨縮面体１の任意の点の法線方向とその点の曲率は、自由に（柔軟に）変化することができ、水圧を受けて自然にアーチ曲面を形成する。防潮ダム締切り用２次元膨縮面体１は、水圧に応じて２次元的に曲がって膨らみ、且つ、畳み込まれることが可能である。
【００２８】
このような防潮ダム締切り用２次元膨縮面体１として、ゴム製シート、ゴム製プレート、縦横にゴム製索条又は金属製コイルスプリングが埋め込まれた布、互いにヒンジ結合する小面積鉄板の集合、有機合成膜を多層化した多層膜、これらを袋状化した中空面板が好適に例示される。その素材としては、化学結合的に２次元伸展性がある化学物質、蛇腹（ベローズ）、ジグザグ折りのスプリング、コイルスプリングのような機械工学的・物理的物質が存在する。形態としては、部屋のカーテン、劇場の緞帳、庭先のアコーディオン柵、ノコギリのような薄い鉄板、パラシュートのような公知形態が知られている。ある程度の剛性は、必要である。水圧に限られず、風力、波力に対抗して十分に抗力を発揮して、図６（ａ），（ｂ）に示されるような曲げに対抗することができる剛性が、防潮ダム締切り用２次元膨縮面体１又は２次元支持構造体４に要求される。
【００２９】
水平方向張力軸８と面体支持用アンカレッジ２の結合は、吊橋（例示：本四連絡橋）のそれらの結合関係に力学構造の点で同じである。図４に示される構造も、本四連絡橋の構造に同じである。図５に示されるフレキシビリティーも、本四連絡橋の鉄道面又は道路面の面板構造に同じであり、そのような技術が有効に転用され得る。
【００３０】
図２に示される構成部材のほとんどは、陸上の工場内で製作される。本発明による防潮ダムの工期は、図２の護岸の工事と時間的に併行して締切り構造が製作されるので、公知のコンクリート製の防潮ダムの工期に比べて、大幅に短縮される。本発明による防潮ダムは、コンクリート製の防潮ダムと異なって、全体に小柄感があり景観を損なう度合いが低く、開閉動作が容易であり駆動源の小型化が可能であり、地球温暖化に対応して水位調整が自在であり、メンテナンスと全体又は部分の取り替え工事が容易である。アーチ構造は、水圧に基づいて最適切に且つ自然に形成される。
【００３１】
図４に示される紐群１１が水平方向張力軸８と防潮ダム締切り用２次元膨縮面体１に結合する構造は、それらの結合点が三角形を構成し、ヒンジ結合なっていて、明白なトラス構造になっている。トラス構造は、ある程度に歪みと撓みを吸収して耐震構造化する高剛性構造と、大きい歪みと大きい撓みを吸収して柔軟構造化する低剛性構造とが知られている。本発明による防潮ダムは、柔軟構造化される低剛性構造であり、真っ直ぐな形状とアーチ形状の２形状間の形状遷移が可能な程度に柔軟構造化されている。そのような柔軟構造は、横方向に伸張しながらアーチ形状に撓むことができ、且つ、潮位変動に対応して鉛直方向にも伸縮することができる程度に柔軟化されている。防潮ダム締切り用２次元膨縮面体１の内部はそのものがトラス構造化されることが可能であり、この場合、図２の２次元支持構造体４は省略され得る。
【００３２】
図７は、本発明による防潮ダムの実施の更に他の形態を示している。防潮ダム締切り用２次元膨縮面体１は、海面高さに比べて十分に広い面積を有している。防潮ダム締切り用２次元膨縮面体１のＮ本（例示：４本）の線状部位が、４本の水平方向張力軸８に線状に接合している。防潮ダム締切り用２次元膨縮面体１は、縦方向に３部位に分割され、最上位部位１−ａと中間部位１−ｂと最下位部位１−ｃとから形成されている。３つの部位１−ａ，ｂ，ｃは、それぞれに、港内側に十分に膨らむ縦方向長さを有している。
【００３３】
水位差が小さい場合には、３つの部位１−ａ，ｂ，ｃはそれぞれに図８に示されるように垂れ下がっているが、異常時の水位差が大きくなった場合には、図７に示されるようにそれぞれに、港内側方向に強く膨らむ。３つの部位１−ａ，ｂ，ｃは、それぞれに、ダム・アーチ面Ｓ−ａ，Ｓ−ｂ，Ｓ−ｃを形成する。実施の本形態の防潮ダム締切り用２次元膨縮面体１は、縦方向の伸張性がより高く、４本の水平方向張力軸８のそれぞれの両端を面体支持用アンカレッジ２に固着する固着部位をそれぞれに昇降可能に形成することにより、大きい潮位の変化に容易に対応することができる。防潮ダム締切り用２次元膨縮面体１の水平方向張力軸８に近い部分は、水平方向に向いていて水平方向張力軸８に大きい縦方向力を与えないので、上下に隣り合う水平方向張力軸８の間の接近力が大きくなることを有効に防止することができる。水平方向張力軸８のそれぞれを可撓性が豊かであるパイプで形成し、その中空部に適正気圧の空気を導入することにより、水平方向張力軸８のそれぞれに十分な浮力を与えれば、水平方向張力軸８が鉛直方向に垂れることを有効に抑制することができる。このような分割は、水平方向にも可能である。
【００３４】
図９は、本発明による防潮ダムの開閉システムの実施の形態のシステム外観を示している。このシステムは、図１０に示される既述の防潮ダム１０を用いている。埋め立て地に、気象シミュレーションセンタ１２が配置されている。埋め立て地の間は、港又は河川に接続している。気象シミュレーションセンタ１２は、アンテナを有している。そのアンテナは、地球観測衛星１３から時々刻々に変化する気象データ（例示：台風の存在位置、複数の観測所が衛星経由で送信してくる各地域の気圧、温度）を受信する。
【００３５】
図１１は、海岸境界ダムの開閉システムのシステムブロックを示している。気象シミュレーションセンタ１２は、気象シミュレーションコンピュータ１４と、開閉制御コンピュータ１５とから形成されている。地球観測衛星１３は、アンテナを介して気象シミュレーションセンタ１２の気象シミュレーションコンピュータ１４に接続している。気象シミュレーションコンピュータ１４は、地球観測衛星１３と地上側観測所とから気象データ１６を受信して時々刻々に取得している。
【００３６】
気象シミュレーションコンピュータ１４は、気象データ１６に基づいて、高潮発生の動態を時間の関数として計算により求める。高潮発生の動態は、潮位Ｈ（ｔ）を含んでいる。又は、気象シミュレーションコンピュータ１４は、気象データ１６に基づいて、河川流域の降雨量Ｑ（ｘ，ｙ）を計算し、その降雨量Ｑ（ｘ，ｙ）に基づいて、防潮ダム締切り用２次元膨縮面体１が存在する場所の水位Ｈ（ｔ）を計算する。潮位は、以下で、水位といわれる。
【００３７】
そのような水位Ｈ（ｔ）は、開閉制御コンピュータ１５に送信される。開閉制御コンピュータ１５は、デイスプレイ１７に双方向に接続している。水位Ｈ（ｔ）は、開閉制御コンピュータ１５を介してデイスプレイ１７に送信されデイスプレイ１７にリアルタイムにグラフ表示される。水位が急変し、又は、水位が規定水位を越えることが予測される場合には、デイスプレイ１７は警報を警報音として出力する。オペレータは、デイスプレイ１７の画面を切換え、洪水対応画面又は高潮発生画面をメニュー選択する。洪水対応画面と高潮発生画面には、水位Ｈ（ｔ）のグラフを表示する枠がある。
【００３８】
その枠をオペレータがクリックすれば、開閉制御コンピュータ１５に入力済みである関数Ｈ（ｔ）が起動状態に入る。開閉制御コンピュータ１５は、関数Ｈ（ｔ）に対応する電気信号列Ｅｊ１８を時間ｔの適正な時刻列ｔｊに出力する。電気信号列Ｅｊ１８は、面体支持用アンカレッジ２に装備されている昇降アクチュエータを駆動する駆動機に入力される。その駆動機は、電気信号列Ｅｊ１８に基づいて、防潮ダム１０の複数の水平方向張力軸８の両端部をそれぞれに昇降させる。
【００３９】
地球温暖化は、確実な予測が不可能である降雨量と気圧を地球の任意の領域にもたらすと予測されている。地球の全体の温度変化は１００年単位で僅かに変動するが、局地的気象変化は、激動的であることが予想されている。地球に局所的に生じる２４時間後の気象変化は、確実にシミュレーションにより確定的に計算され得る。開閉制御コンピュータ１５は、水位データＨ（ｔｊ）に基づいて適格に防潮ダム１０の開閉度を制御することができる。拡大されたシステムでは、Ｅｊ１８は、降雨領域の河川の水門の開閉度に連動して計算され得る。開閉制御コンピュータ１５は、Ｈ（ｔ）に基づいて、防潮ダム１０の開閉制御と高さ制御を実行する。
【００４０】
図１２は、本発明による防潮ダムの実施の更に他の形態を示している。実施の本形態の防潮ダム締切り用２次元膨縮面体１は、多数の膜要素１−ｊから形成されている。膜要素１−ｊの水平方向の両端部位がそれぞれに縦軸２１に固着されている。膜要素１−ｊは、短冊状のシートであり、テントの布、ゴム板のような柔軟な面体形成材料で形成されている。縦軸２１と膜要素１−ｊの固着的接合部分は、柔軟に屈曲することができる。実施の本形態の防潮ダム締切り用２次元膨縮面体１は、両開きであり、両中央側の縦軸２１が両側の面体支持用アンカレッジ２から両方向ａ，ｂに引かれる。両自由端側の２つの縦軸２１は、互いに水密的に接合することができる。
【００４１】
本発明による防潮ダムは、台風接近時の高潮、地震による津波の押し寄せに対して効果があり、高波に対しても効果がある。オイルの流れを堰き止めるためのオイルフェンスとして利用され得る。河川流域の降雨量と調和させて防潮ダムの高さが制御される。
【００４２】
【発明の効果】
本発明による防潮ダムは、近未来型の防潮ダムを構築する技術又はその技術要素を確立することができる。
【図面の簡単な説明】
【図１】図１は、本発明による防潮ダムの実施の形態を示す平面図である。
【図２】図２は、図１の側面断面図である。
【図３】図３は、本発明による防潮ダムの実施の他の形態を示す側面断面図である。
【図４】図４は、本発明による防潮ダムの実施の更に他の形態を示す側面断面図である。
【図５】図５は、面体の変形の様子を示す斜軸投影図である。
【図６】図６（ａ），（ｂ）は、面体の他の変形の様子をそれぞれに示す断面図である。
【図７】図７は、本発明による防潮ダムの実施の更に他の形態を示す側面断面図である。
【図８】図８は、面体の更に他の変形を示す側面断面図である。
【図９】図９は、本発明による防潮ダムの開閉システムの概要を示す斜軸投影図である。
【図１０】図１０は、本発明による防潮ダムのアーチ形状を示す斜軸投影図である。
【図１１】図１１は、本発明による防潮ダムの開閉システムの実施の形態を示すシステムブロック図である。
【図１２】図１２は、本発明による防潮ダムの実施の更に他の形態を示す平面図である。
【符号の説明】
１…面体（アーチ形成面体）
２…支持体
３…錘
５…浮体
７…縦方向軸索線
８…横方向軸索線
１０…防潮ダム
１２…シミュレーションセンタ
１３…通信衛星
１４…気象シミュレーションコンピュータ
１５…開閉制御コンピュータ
１６…気象データ
１８…制御電気信号
【図１】
0003913047.tif 000002
【図２】
0003913047.tif 000003
【図３】
0003913047.tif 000004
【図４】
0003913047.tif 000005
【図５】
0003913047.tif 000006
【図６】
0003913047.tif 000007
【図７】
0003913047.tif 000008
【図８】
0003913047.tif 000009
【図９】
0003913047.tif 000010
【図１０】
0003913047.tif 000011
【図１１】
0003913047.tif 000012
【図１２】
0003913047.tif 000013